(57)【特許請求の範囲】
【請求項１】
使用者が座ることのできるサドル（１１０）が備えられ、方向を切り替えるためのハンドル（１２０）と、前記ハンドル（１２０）とフレームで連結された前輪（１５０）及び使用者が足で踏むペダル（１４０）を含む自転車部材（１００）と；
前記ペダル（１４０）で発生された回転力を増大及び変速させる回転力増強手段（２００）と；
前記回転力増強装置（２００）の回転力を垂直方向に伝達する垂直動力伝達手段（３００）と；
前記垂直動力伝達手段（３００）の動力を水平方向に伝達する水平動力伝達手段（４００）と；
前記垂直動力伝達手段（３００）と水平動力伝達手段（４００）との間に設置されて、自転車部材（１００）の角度を進行方向に平行にするための後尾移動手段（５００）と；
前記水平動力伝達手段（４００）と連結されて、前輪を駆動させる前輪駆動手段（６００）と；
前記前輪駆動手段（６００）を上下方向に位置を移動させて、坂道と平地を走るのと同じ效果を具現するようにする走行效果調節手段（７００）と；
前記前輪駆動手段（６００）の作動と連動して、前輪駆動手段（６００）がヒンジ回動して傾きを形成すると伝達される回転力の強弱を調節する張力調節装置（９００）と；
前記自転車部材（１００）が設置されるプレート（８１０）の下部には移動輪（８２０）が付着され、所定間隔に高さ調節部材（８３０）が付着され、側面には自転車部材（１００）に乗るための足踏み部材（８４０）及び運動中の他人の接近を防止する固定フレーム（８５０）で形成された支持手段（８００）を含むことを特徴とする運動用自転車。
【請求項２】
前記回転力増強手段（２００）は、
ペダル（１４０）によって回転する回転軸（２１０）に多段のスプロケットからなる前方スプロケット部材（２２０）と；
前記前方スプロケット部材（２２０）が軸設され、所定の間隔離間された後方には多段のスプロケットが回転軸（２５０）に軸設され、一側に滑車（２６０）が一体に形成された後方スプロケット部材（２７０）と；
前記前方スプロケット部材（２２０）と後方スプロケット部材（２７０）とを連結するチェーン（２３０）と；
前記滑車（２６０）に設置されるベルト（２９０）と；を含むことを特徴とする請求項１に記載の運動用自転車。
【請求項３】
前記垂直動力伝達手段（３００）は、
後方スプロケット部材（２７０）とベルト（２９０）で連結される滑車（３１０）と；
前記滑車（３１０）とともに回転軸（３３０）に軸設されたギア部材（３２０ａ）と；
ギア部材（３２０ａ）と噛み合い、回転軸（３４０ａ）に軸設されたギア部材（３２０ｂ）と；
前記ギア部材（３２０ａ）（３２０ｂ）と対向される反対方向に設置されるギア部材（３５０ａ）（３５０ｂ）と；
前記ギア部材（３５０ｂ）には回転軸（３４０ｂ）が軸設され、前記回転軸（３４０ａ）（３４０ｂ）を連結する連結部材（３６０）と；
前記連結部材（３６０）はギア部材（３２０ｂ）とギア部材（３５０ｂ）の間隔を保持するケーシング（３７０）の内部に設置されることを特徴とする請求項１に記載の運動用自転車。
【請求項４】
前記水平動力伝達手段（４００）は、
垂直動力伝達手段（３００）のギア部材（３５０ａ）に嵌められて設置された回転軸（４１０ａ）と；
前記回転軸（４１０ａ）と対向される反対方向にも回転軸（４１０ｂ）と；
前記回転軸（４１０ａ）（４１０ｂ）の端部に連結される連結ジョイント（４２０ａ）（４２０ｂ）と；
前記連結ジョイント（４２０ａ）（４２０ｂ）の間にはスプライン軸（４３０）と；
前記回転軸（４１０ｂ）に軸設されるギア部材（４３０ａ）及びギア部材（４３０ａ）に噛み合うギア部材（４３０ｂ）と；
前記ギア部材（４３０ｂ）が軸設されてともに回転する回転ロッド（４４０）と；
前記回転ロッド（４４０）に備えられた駆動滑車（４６０）と；を含むことを特徴とする請求項１に記載の運動用自転車。
【請求項５】
前記後尾移動手段（５００）は、
所定間隔に平行に設置されたガイドバー（５４０）と；
前記ガイドバー（５４０）に沿って移動するホルダー（５７０）と；
前記ホルダー（５７０）を固定するハウジング（５８０）と；
前記両端に備えられたガイドバー（５４０）の間に平行に設置され、一端部に滑車（５６０）が設置された移動スクリュー（５５０）と；
駆動モーター（５１０）の回転軸に軸設された駆動滑車（５２０）とベルト（５３０）で連結される滑車（５６０）と；を含むことを特徴とする請求項１に記載の運動用自転車。
【請求項６】
前記前輪駆動手段（６００）は、
所定間隔に設置されたローラー（６３０）と；
前記ローラー（６３０）に支持されながら回転するコンベアーベルト（６２０）と；
前記ローラー（６３０）に軸設された滑車（６４０）と；
前記駆動滑車（４６０）とベルト（６１０）で連結される滑車（６４０）が軸設されてヒンジ回動するように設置されたハウジング（６６０）と；を含むことを特徴とする請求項１に記載の運動用自転車。
【請求項７】
前記走行效果調節手段（７００）は、
駆動モーター（７１０）と；
駆動モーター（７１０）の回転軸に連結されて回転する駆動滑車（７６０）と；
前記駆動滑車（７６０）とベルト（７７０）で連結されて駆動する従動滑車（７８０）と；
前記従動滑車（７８０）の回転軸に連結されるウォーム歯車（７２０）と；
前記ウォーム歯車（７２０）と噛み合うウォームホイール（７３０）と；
前記ウォームホイール（７３０）を回転可能に支持する回転ロッド（７４０）と；
前記回転ロッド（７４０）に一端部が固設され、他端部はハウジング（６６０）に連設される作動部材（７５０）と；からなることを特徴とする請求項１に記載の運動用自転車。
【請求項８】
前記ハウジング（６６０）がヒンジ回動して傾斜角を形成することを特徴とする請求項６に記載の運動用自転車。
【請求項９】
前記前輪が操向された方向に後尾移動手段（５００）が移動することを特徴とする請求項１に記載の運動用自転車。
【請求項１０】
前記張力調節装置（９００）は、前記回転軸に軸設されたフライホイール（９１０）と；
前記ハウジングにヒンジ回動可能に設置されたブレークパネル（９２０）と；
前記ブレークパネルに固設された複数の磁石（９３０）及び前記一側端部はブレークパネル（９２０）と連結され、他側はハウジング（６６０）に固設されたケーブル（９４０）と；を含むことを特徴とする請求項１に記載の運動用自転車。
【請求項１１】
前記ペダル（１４０）を足で踏んで自転車部材（１００）が倒れないように全体的バランスを取ることを特徴とする請求項１に記載の運動用自転車。
【発明の詳細な説明】
【技術分野】
【０００１】
本発明は運動用自転車に関し、さらに詳しくは、ペダルを踏んで車輪を回転させると、外部で自転車に乗るように中心移動及び左右移動ができ、また坂道と平地などを走行するように感じられて退屈さと単純さを防止し、外部で自転車に乗るような感じを与えて運動力を増大させることができるようにした運動用自転車に関する。
【背景技術】
【０００２】
一般に、現代人は、最近健康に対する関心が高まり、肥満及び体型に対する懸念によってダイエットブームが起きており、特に狭い空間で短時間内に少ない運動荷重で下体を鍛錬させるとともに、柔軟性などを増大させるための手段として運動用自転車を多く利用している。
【０００３】
即ち、図１に示すように、従来の運動用自転車１００は支持フレーム１０１の上部側に設置されたハンドル１０２と、計器盤１０３と、サドル１０４と、ハンドル１０２とサドル１０４の間に備えられながらペダル１０５と連携される駆動装置１０６とで構成されて、前記ペダル１０５による駆動装置１１０を通じて運動する機構である。
【０００４】
従って、前記運動用自転車１００のサドル１０４に座った状態でペダル１０５に足を載せて正方向に回転させると、前記ペダル１０５に連携される駆動装置１１０の回転過程で下体を鍛錬することができるので、運動不足の現代人に狭い運動場所で短時間内に運動效果を奏することができる。
【０００５】
このような従来の運動用自転車１００は、サドル１０４に座った状態でペダル１０５のみを駆動するようにして使用者が容易に退屈さと単純さを感じるようになって運動用自転車１００に対する嫌気を有するようになるので、運動效果を増大させることを期待しにくい実情である。
【発明の概要】
【発明が解決しようとする課題】
【０００６】
このような従来の問題点を鑑みて創出した本発明の目的は、ペダルを踏んで車輪を回転させると、外部で自転車に乗るように中心移動及び左右移動ができ、また坂道と平地などを走行するように感じられて退屈さと単純さを防止し、外部で自転車に乗るような感じを与えて運動力を増大させることができるようにした運動用自転車を提供することにある。
【課題を解決するための手段】
【０００７】
前記のような本発明の目的は、運動用自転車において、使用者が座ることのできるサドル１１０が備えられ、方向を切り替えるためのハンドル１２０と、前記ハンドル１２０とフレームで連結された前輪１５０及び使用者が足で踏むペダル１４０を含む自転車部材１００と；前記ペダル１４０で発生された回転力を増大及び変速させる回転力増強手段２００と；前記回転力増強装置２００の回転力を垂直方向に伝達する垂直動力伝達手段３００と；前記垂直動力伝達手段３００の動力を水平に伝達する水平動力伝達手段４００と；前記垂直動力伝達手段３００と前記水平動力伝達手段４００との間に設置されてペダル１４０で発生された回転力と自転車部材１００の角度を進行方向に平行にするための後尾移動手段５００と；前記水平動力伝達手段４００と連結されて前輪を駆動させる前輪駆動手段６００と；前記前輪駆動手段６００を上下方向に位置を移動させて坂道と平地を走るのと同じ效果を具現するようにする走行效果調節手段７００と；前記前輪駆動手段６００の作動と連動して前輪駆動手段７００がヒンジ回動して傾斜を形成すると伝達される回転力の強弱を調節する張力調節装置９００と；前記自転車部材１００が設置されるプレート８１０の下部には移動輪８２０が付着され、所定間隔に高さ調節部材８３０が付着され、側面には自転車部材１００に乗るための足踏み部材８４０及び運動中に他人の接近を防止する固定フレーム８５０に形成された支持手段８００を含むことを特徴とする運動用自転車によって達成される。
【発明の効果】
【０００８】
このような本発明はペダルを踏んで車輪を回転させると、外部で自転車に乗るように中心移動及び左右移動ができ、また坂道と平地などを走行するように感じられて退屈さと単純さを防止し、外部で自転車に乗るような感じを与えて運動力を増大させることができるという效果を奏する。
【図面の簡単な説明】
【０００９】
【図１】従来技術による運動用自転車を示す斜視図である。
【図２】本発明の技術が適用された運動用自転車の構造を示す正断面図である。
【図３】本発明の技術が適用された運動用自転車の構造を示す側面図である。
【図４】本発明の技術が適用された運動用自転車の構造を示す平面図である。
【図５】発明の主要部である回転力増強手段の構造を示す正面図である。
【図６】本発明の主要部である垂直動力伝達手段の構造を示す正断面図である。
【図７】本発明の主要部である垂直動力伝達手段の構造を示す側断面図である。
【図８】本発明の主要部である水平動力伝達手段及び前輪駆動手段の構造を示す正断面図である。
【図９】本発明の主要部である走行效果調節手段の構造を示す正断面図である。
【図１０】本発明の主要部である走行效果調節手段の構造を示す平断面図である。
【図１１】本発明の主要部である走行效果調節手段の作動を示す正断面図である。
【図１２】本発明の主要部である後尾移動手段の構造を示す正断面図である。
【図１３】本発明の主要部である後尾移動手段の構造を示す平面図である。
【図１４】前輪の操向を示す平面図である。
【図１５】前輪の操向による後輪の移動を示す平面図である。
【図１６】本発明の他の実施形態を示す平面図である。
【発明を実施するための形態】
【００１０】
以下本発明の好ましい実施形態を添付された図面に基づいて詳しく説明すれば次の通りである。
【００１１】
図２〜図４は本発明の技術が適用された運動用自転車の構造を示す正断面図、側面図、平面図で、図面によれば、本発明の運動用自転車は、大体使用者が座ることのできるサドル１１０が備えられ、使用者が足で踏むペダル１４０を含む自転車部材１００と；前記ペダル１４０で発生された回転力を増大及び変速させる回転力増強手段２００と；前記回転力増強装置２００の回転力を垂直方向に伝達する垂直動力伝達手段３００と；前記垂直動力伝達手段３００の動力を水平に伝達する水平動力伝達手段４００と；前記垂直動力伝達手段３００と水平動力伝達手段４００との間に設置されてペダル１４０で発生された回転力と自転車部材１００の角度を進行方向に平行にするための後尾移動手段５００と；前記水平動力伝達手段４００と連結されて前輪を駆動させる前輪駆動手段６００と；前記前輪駆動手段６００を上下方向に位置を移動させて坂道と平地を走るのと同じ效果を具現するようにする走行效果調節手段７００と；前記前輪駆動手段６００の作動と連動して前輪駆動手段７００がヒンジ回動して傾斜を形成すると伝達される回転力の強弱を調節する張力調節装置９００と；支持手段８００と構成される。
【００１２】
前記自転車部材１００は使用者が座ることのできるサドル１１０が備えられ、方向を切り替えるためのハンドル１２０と、前記ハンドル１２０とフレームで連結された前輪１５０及び使用者が足で踏むペダル１４０及び前輪１５０または回転力増強装置２００を停止させる図示しないブレーキを含む構造である。
【００１３】
前記ペダル１４０で発生された回転力を増大及び変速させる回転力増強手段２００は、図５に示すように、ペダル１４０によって回転する回転軸２１０に多段のスプロケットからなる前方スプロケット部材２２０が軸設され、所定間隔離間された後方には多段のスプロケットがチェーン２３０によって回転可能に設置され、回転軸２５０には滑車２６０が一体に形成された後方スプロケット部材２７０を含む構造である。
【００１４】
前記回転力増強装置２００の回転力を垂直方向に伝達する垂直動力伝達手段３００は、図６及び図７に示すように、後方スプロケット部材２７０とベルト２９０で連結される滑車３１０とギア部材３２０ａ、３２０ｂが軸設され、ギア部材３２０ｂには回転軸３４０ａが設置され、前記ギア部材３２０ａ、３２０ｂと対向される反対方向にもギア部材３５０ａ、３５０ｂが軸設され、ギア部材３５０ｂには回転軸３４０ｂが軸設され、前記回転軸３４０ａ、３４０ｂは連結部材３６０によって連結され、前記連結部材３６０はギア部材３２０ｂとギア部材３５０ｂの間隔を保持するケーシング３７０の内部に設置される構造である。
【００１５】
前記垂直動力伝達手段３００の動力を水平に伝達する水平動力伝達手段４００は、図８に示すように、垂直動力伝達手段３００のギア部材３５０ａに嵌められて設置された回転軸４１０ａと対向される反対方向にも回転軸４１０ｂが軸設され、回転軸４１０ａ、４１０ｂの端部には連結ジョイント４２０ａ、４２０ｂが嵌められて設置され、連結ジョイント４２０ａ、４２０ｂの間にはスプライン軸４３０が連設され、回転軸４１０ｂにはギア部材４３０ａが軸設され、ギア部材４３０ａにはギア部材４３０ｂが噛み合いながら、回転ロッド４４０に軸設され、回転ロッド４４０には駆動滑車４６０が付着される構造である。
【００１６】
前記垂直動力伝達手段３００と水平動力伝達手段４００との間に設置されて動力の方向を転換させる後尾移動手段５００は、図１２及び図１３に示すように、所定間隔に平行に設置されたガイドバー５４０に沿って移動するホルダー５７０がハウジング５８０に固設される。
【００１７】
前記両端に備えられたガイドバー５４０の間に平行に設置され、一端部に滑車５６０が設置された移動スクリュー５５０が設置され、前記滑車５６０はベルト５３０によって連結される駆動滑車５２０が回転軸に軸設された駆動モーター５１０からなる構造である。
【００１８】
前記水平動力伝達手段４００と連結されて前輪を駆動させる前輪駆動手段６００は、所定間隔に設置されたローラー６３０にはコンベアーベルト６２０が設置され、端末部のローラー６３０には駆動滑車４６０とベルト６１０で連結される滑車６４０が軸設されてヒンジ回動するように設置されたハウジング６６０の内側に設置される構造である。
【００１９】
前記前輪駆動手段６００を上下方向に位置を移動させて坂道と平地を走るのと同じ效果を具現するようにする前記走行效果調節手段７００は、駆動モーター７１０との回転軸に連結されて回転する駆動滑車７６０にはベルト７７０によって連結されて駆動する従動滑車７８０が連結されて構成される。
【００２０】
図１６に示すように、前輪手段６００が前後に移動されることができる。その理由は使用者の体によってそれぞれ異なる自転車部材１００を交替して容易に設置することができるからである。
【００２１】
前記従動滑車７８０の回転軸に連結されるウォーム歯車７２０にはウォーム歯車７２０と噛み合うウォームホイール７３０を回転可能に支持する回転ロッド７４０と、前記回転ロッド７４０に一端部が固設され、他端部はハウジング６６０に連設される作動部材７５０からなる構造である。
【００２２】
前記張力調節装置９００は回転軸に軸設されたフライホイール９１０で所定間隔離間されながらハウジング６６０にヒンジ回動可能に設置されたブレーキパネル９２０が設置される。一方、前記ブレーキパネル９２０には複数の磁石９３０が固設され、前記ブレーキパネル９２０にはケーブル９４０の一側が連設され、他側はハウジング６６０に固設されてなる構造である。
【００２３】
一方、前記支持手段８００は、自転車部材１００が設置されるプレート８１０の下部には移動輪８２０が付着され、所定間隔に高さ調節部材８３０が付着され、側面には自転車部材１００に乗るための足踏み部材８４０及び運動中に他人の接近を防止する固定フレーム８５０で形成される構造である。
【００２４】
前記のような構造を有する本発明の作用效果を説明すれば、自転車部材１００が設置されるプレート８１０の下部に備えられた高さ調節部材８３０を利用して少なくとも移動輪８２０の全体高さよりは高く調節してプレート８１０を地面から離間させる。
【００２５】
その理由は、高さが低く調節されると移動輪８２０によって搖れるためであり、高さ調節部材８３０を利用してプレート８１０の高さを低くするのは本発明の運動用自転車１全体を移動させる時のみに低く調節する。
【００２６】
一方、使用する前に自転車部材１００は、図３に示すように、両側に備えられた固定フレーム８５０の方に傾いていて、使用者が自転車部材１００を立て直した後、図示しないコントロールボックスに備えられたスィッチを利用して電源を供給すると、駆動モーター５１０が作動して回転軸に軸設された駆動滑車５２０が回転され、それによって、ベルト５３０で連結される滑車５６０も連動されながら移動スクリュー５５０を回転させて後尾移動手段５００が所定間隔に平行に設置されたガイドバー５４０に沿ってハウジング５８０がガイドバー５４０の中央に移動させる。
【００２７】
従って、まず、使用した位置に関係なく、初期に使用する時には電源の供給とともに後尾移動手段５００は移動スクリュー５５０及びガイドバー５４０の中央位置に位置する。
【００２８】
使用者が足踏み部材８４０を利用して自転車部材１００のサドル１１０に乗ってハンドル１２０を握ってペダル１４０を足で踏むと、ペダル１４０が軸設された回転軸２１０によって回転力増強手段２００が作動される。
【００２９】
この時、使用者が自転車部材１００に備えられたペダル１４０を足で踏まないと倒れるので、外部で自転車を利用するように、ペダル１４０を回して中心を保持すべきであり、固定フレーム８５０は運動中に他人の接近を防止し、且つ運動中に使用者が他人とぶつかることを防止して、場合によってはサドルに座った状態で暫く休息を取る時均衡を保つ手段として利用することができる。
【００３０】
前記回転力増強手段２００の作動は、図５に示すように、ペダル１４０によって回転する回転軸２１０に軸設された多段のスプロケットからなる前方スプロケット部材２２０が回転されると、所定間隔離間された後方の後方スプロケット部材２７０がチェーン２３０によって連結されていて同じく回転する。
【００３１】
前記前方スプロケット部材２２０と後方スプロケット部材２７０がチェーン２３０によって連結構成され、通常の自転車の走行方法のように、ハンドルに備えられた別途の調節手段で調節して自転車の速度を任意に調節することができる。一方、後方スプロケット部材２７０が軸設されている回転軸２５０には滑車２６０が一体に形成されて、前記滑車２６０もともに回転する。
【００３２】
前記後方スプロケット部材２７０と同一に回転する滑車２６０が回転されるとベルト２９０で連結される滑車３１０が回転されることによって、垂直動力伝達手段３００によって使用者がペダル１４０を足で踏む回転力が垂直に動力伝達される。
【００３３】
前記垂直動力伝達手段３００の作動は、図６〜図７に示すように、ベルト２９０で連結された滑車３１０が回転されると、回転軸３３０も回転され、前記回転軸３３０に軸設されたギア部材３２０ａも回転され、ギア部材３２０ａの回転によって噛み合っているギア部材３２０ｂもともに回転する。
【００３４】
一方、前記ギア部材３２０ｂが回転されると、ギア部材３２０ｂを支持しながら回転可能に軸設している回転軸３４０ａもともに回転する。この時、前記ギア部材３２０ａ、３２０ｂと反対方向のギア部材３５０ａ、３５０ｂもともに回転する。
【００３５】
前記ギア部材３５０ａ、３５０ｂの回転は、ギア部材３５０ｂを回転可能に支持する回転軸３４０ｂとギア部材３２０ｂを回転可能に軸設している回転軸３４０ａが連結部材３６０によって連結されていて、垂直に動力（回転力）が伝達されることができ、ギア部材３２０ｂとギア部材３５０ｂの間隔はケーシング３７０によって保持される。
【００３６】
一方、垂直に伝達された動力（回転力）は前輪が位置する前方側に動力を水平で伝達する。前記水平動力伝達手段４００の作動は、図８に示すように、前記垂直動力伝達手段３００のギア部材３５０ａに嵌められて設置された回転軸４１０ａが回転されるとともに、回転軸４１０ａの端部の連結ジョイント４２０ａが回転されると、対向される反対方向の回転軸４１０ｂと回転軸４１０ｂ端部の連結ジョイント４２０ａ、４２０ｂが回転する。
【００３７】
この時、前記連結ジョイント４２０ａ、４２０ｂの間には軸の中心軸方向には容易に動いて軸の長さの変化が発生しながらも動力が伝達されるスプライン軸４３０が連設されて動力の水平移動が可能であり、また回転軸４１０ｂにはギア部材４３０ａが軸設され、ギア部材４３０ａにはギア部材４３０ｂが噛み合いながら回転ロッド４４０に軸設されていて、回転ロッド４４０が回転すると駆動滑車４６０が回転される。
【００３８】
前記前輪１５０が位置する前方向に移動された動力は、駆動滑車４６０とベルト６１０で連結される滑車６４０が回転されると、所定間隔に設置されたローラー６３０に支持されたコンベアーベルト６２０が回転される。前記コンベアーベルト６２０が回転されると前輪１５０も回転するので、地面で乗るように感じられ、ハウジング６６０によって異物などが進入して装置の故障を引き起こすことが防止されている。
【００３９】
上記した本発明の運動用自転車１を利用した走行方法は、平地走行、丘走行で、前者の作動説明は平地を走行するのと同じ效果を奏するようにするもので、丘走行方法は、図９、図１０及び図１１に示すように、走行效果調節手段７００を作動させて丘走行ができる条件を調節する。
【００４０】
前記走行效果調節手段７００の平地走行調節は、図示しないコントロールボックスに備えられたスィッチを利用して、前輪駆動手段６００が水平を保持している時を意味し、丘走行調節は、駆動モーター７１０を作動させて駆動モーター７１０の回転軸に連結される駆動滑車７６０が駆動される。
【００４１】
前記駆動滑車７６０は従動滑車７８０とベルト７７０で連結されて駆動し、前記従動滑車７８０の回転軸に連結されるウォーム歯車７２０及びウォーム歯車７２０と噛み合うウォームホイール７３０が回転し、前記ウォームホイール７３０が回転可能であれば支持している回転ロッド７４０が回転させる。
【００４２】
従って、前記回転ロッド７４０が回転されると、一端部が回転ロッド７４０に固設され、他端部はハウジング６６０に連設される作動部材７５０が回転するとヒンジ回動するハウジング６６０の前部を持ち上げるのでハウジング６６０が傾斜角を形成することによって前輪が持ち上げられて、本発明の運動用自転車を利用する利用者は丘を走行するように感じながら運動をすることができる。
【００４３】
前記のように自転車が丘を走行すると、ペダル１４０を踏むことが困難であるが、これは重力が自転車に作用しているからであり、本発明の運動用自転車が外部の丘を走行するように感じるためには、回転力に影響を与えて丘を走行するような感じを与えることができる。
【００４４】
前記走行效果調節手段７００によって前輪駆動手段６００が傾きを形成すると、図１１に示すように、ペダルによって生成される回転力に張力調節装置９００が影響を与えるので、運動量を増大させる效果を奏することができる。
【００４５】
前記張力調節装置９００の作動は、図８及び図１１に示すように、前輪駆動手段６００が傾きを形成するようにハウジング６６０がヒンジ回動すると、ケーブル９４０が引っ張られてブレーキパネル９２０を引っぱることになり、前記ブレーキパネル９２０はフライホイール９１０でヒンジ回動する。
【００４６】
前記ブレーキパネル９２０とフライホイール９１０が近接されると、前記ブレーキパネル９２０に固設された複数の磁石９３０の磁力によってフライホイール９１０の回転力が低減され、また回転による抵抗が大きくなってペダル１４０を踏むことが大変になるので、運動量を増大させる效果を奏することができる。
【００４７】
一方、丘走行の後再び平地走行をしようとする場合には、駆動モーター７１０を逆回転させて作動部材７５０を初期位置に復元させると、ハウジング６６０が初期状態になることによって平地走行のような感じを与えることができる。
【００４８】
この時、前記張力調節装置９００の作動はハウジング６６０の回動によって引っ張られたケーブル９４０がリターンスプリングによって緩く原位置に戻ることによってブレーキパネル９２０を引っぱっていた力が解除されて、ブレーキパネル９２０はフライホイール９１０から遠くなるようにヒンジ回動され、前記フライホイール９１０は回転力を増強させる效果も付与する。
【００４９】
前記ブレーキパネル９２０とフライホイール９１０が離間すると、前記ブレーキパネル９２０に固設された複数の磁石９３０の磁力がフライホイール９１０の回転力に影響を与えて抵抗が減少させるので、ペダル１４０を力を入れずに容易に踏むことができる。
【００５０】
また、本発明の運動用自転車の方向転換方法は、図１４に示すように、右側方向転換と左側方向転換にハンドルを操向して進行しようとする方向に移動することができる。例えば、ハンドルを右側方向に操向すると、前輪が右側方向に切れながら自転車が対角線でθ１という角度を形成し、ハンドルを左側方向に操向すると、前輪が左側方向に切れながら自転車が対角線でθ２という角度を形成し、前輪１５０の角度を感知してこれを図示しないコントロールボックスに伝達すると検出された信号を演算して後尾移動手段５００を移動させる。
【００５１】
前記後尾移動手段５００の作動は、図１５に示すように、駆動モーター５１０が回転すると回転軸に軸設された駆動滑車５２０が回転するとともに、前記駆動滑車５２０とベルト５３０によって連結された滑車５６０が連動される。前記滑車５６０が回転すると移動スクリュー５５０が回転し、それによって、ハウジング５８０が所定間隔に平行に設置されたガイドバー５４０に沿って回転軸の回転方向に沿って移動される。
【符号の説明】
【００５２】
１００：自転車部材  
１１０：サドル
１２０：ハンドル  
１５０：前輪
２００：回転力増強手段
２１０、２５０、３３０、３４０ａ、３４０ｂ，４１０ａ、４１０ｂ：回転軸
２２０：前方スプロケット部材  
２６０，３１０、５６０、６４０：滑車
２７０：後方スプロケット部材  
２９０、５３０、６１０：ベルト
３００：垂直動力伝達手段
３２０ａ、３２０ｂ、３５０ａ、３５０ｂ、４３０ａ、４３０ｂ：ギア部材
３６０：連結部材  
３７０：ケーシング
４００：水平動力伝達手段  
４２０ａ、４２０ｂ：連結ジョイント
４３０：スプライン軸  
４４０：回転ロッド
４６０：駆動滑車  
５００：後尾移動手段
５１０：駆動モーター  
５２０：駆動滑車
５４０：ガイドバー  
５５０：移動スクリュー
５７０：ホルダー
５８０：ハウジング  
６００：前輪駆動手段  
６２０：コンベアーベルト
６３０：ローラー  
６６０：ハウジング
７００：走行效果調節手段  
７１０：駆動モーター
７２０：ウォーム歯車  
７３０：ウォームホイール
７４０：回転ロッド  
７５０：作動部材
７６０：駆動滑車  
７８０：従動滑車
８００：支持手段  
８１０：プレート
８２０：移動輪  
８３０：高さ調節部材
８４０：足踏み部材  
８５０：固定フレーム
９００：張力調節装置  
９１０：フライホイール
９２０：ブレーキパネル  
９３０：磁石
９４０：ケーブル
【図１】
0005795257.tif 000002
【図２】
0005795257.tif 000003
【図３】
0005795257.tif 000004
【図４】
0005795257.tif 000005
【図５】
0005795257.tif 000006
【図６】
0005795257.tif 000007
【図７】
0005795257.tif 000008
【図８】
0005795257.tif 000009
【図９】
0005795257.tif 000010
【図１０】
0005795257.tif 000011
【図１１】
0005795257.tif 000012
【図１２】
0005795257.tif 000013
【図１３】
0005795257.tif 000014
【図１４】
0005795257.tif 000015
【図１５】
0005795257.tif 000016
【図１６】
0005795257.tif 000017